(57)【要約】【課題】スパークロッドおよびフレームロッドともに耐久性を持たせることができるパイロットバーナを提供する。【解決手段】本発明に係るパイロットバーナは、スパークロッドとフレームロッドを備えたパイロットバーナであって、フレームロッドの収容管に空気を供給する第１空気供給管と、スパークロッドの収容管に空気を供給する第２空気供給管とを備えている。【選択図】図１
2017020765.tif 000002
【特許請求の範囲】
【請求項１】
スパークロッドとフレームロッドを備えたパイロットバーナであって、
フレームロッドの収容管に空気を供給する第１空気供給管と、
スパークロッドの収容管に空気を供給する第２空気供給管とを備えたパイロットバーナ。
【請求項２】
連続パイロット式の燃焼設備に適用される請求項１に記載のパイロットバーナ。
【発明の詳細な説明】
【技術分野】
【０００１】
本発明は、メインバーナの着火源となるパイロット火炎を発生させるパイロットバーナに関する。
【背景技術】
【０００２】
従来より、ボイラ等の燃焼室には、メインバーナの着火源となる火種を発生させるパイロットバーナが設置されている。パイロットバーナは、点火時にスパークロッドで火種を形成した後、燃料源である燃料ガスを投入して火種により点火を行い、パイロット火炎を発生させる。また、パイロットバーナでは、発生させたパイロット火炎の有無を検知するために、パイロット火炎にフレームロッドを当てて、フレームロッドとパイロット火炎を通じて流れる電流を検出している。
【０００３】
スパークロッドやフレームロッドは、パイロット火炎に接触しているため、熱損しやすいという問題がある。
【０００４】
このような問題に対し、特許文献１には、「バーナの炎検出装置に用いられ、前記バーナの火炎に接触可能に配置されるフレームロッドであって、前記火炎と接触可能とされるフレームロッド本体と、前記フレームロッド本体の前記火炎に接触する部分と通電可能な電気接続部とを備え、前記フレームロッド本体には冷却媒体を通過させる冷媒流路が形成されていることを特徴とするフレームロッド」が提案されている。
【０００５】
特許文献１では、フレームロッド本体を円筒形状に形成し、長手方向に沿って、円筒の内側に冷却媒体を流通させてフレームロッドを冷却することで、熱損を低減するよう工夫している。
【先行技術文献】
【特許文献】
【０００６】
【特許文献１】特開２００８−２２４１２４号公報
【発明の概要】
【発明が解決しようとする課題】
【０００７】
しかしながら、特許文献１では、スパークロッドについては何ら熱損対策がとられておらず、スパークロッドおよびフレームロッドともに耐久性を持たせる構造については、何ら検討されていない。
【０００８】
本発明は、このような問題点に対してなされたものであり、スパークロッドおよびフレームロッドともに耐久性を持たせることで、超寿命化を実現できるパイロットバーナを提供することを目的とする。
【課題を解決するための手段】
【０００９】
本発明は、上記の目的を達成するために、以下のような特徴を有している。
［１］  スパークロッドとフレームロッドを備えたパイロットバーナであって、
フレームロッドの収容管に空気を供給する第１空気供給管と、
スパークロッドの収容管に空気を供給する第２空気供給管とを備えたパイロットバーナ。
［２］  連続パイロット式の燃焼設備に適用される［１］に記載のパイロットバーナ。
【発明の効果】
【００１０】
本発明によれば、スパークロッドおよびフレームロッドともに耐久性を備えたパイロットバーナを提供することができる。
【図面の簡単な説明】
【００１１】
【図１】（ａ）は、本発明の実施の形態に係るパイロットバーナの長手方向断面図であり、（ｂ）は、（ａ）とは別の断面で切ったパイロットバーナの長手方向断面図であり、（ｃ）は、（ａ）のＡ−Ａ矢視図である。
【発明を実施するための形態】
【００１２】
以下、添付した図面を参照し、本発明の実施の形態について説明する。
【００１３】
図１（ａ）は、本発明の実施の形態に係るパイロットバーナの長手方向断面図であり、図１（ｂ）は、図１（ａ）とは別の断面で切ったパイロットバーナの長手方向断面図であり、図１（ｃ）は、図１（ａ）のＡ−Ａ矢視図である。
【００１４】
本発明の実施の形態に係るパイロットバーナは、図示しないメインバーナの付近に配され、メインバーナの着火源となるパイロット火炎を発生させる装置である。
【００１５】
パイロットバーナは、スパークロッド１、ガス供給管２およびフレームロッド３を有している。スパークロッド１、ガス供給管２およびフレームロッド３は、それぞれが長手方向に延びる円筒状に形成されており、スパークロッド１、ガス供給管２およびフレームロッド３よりも大きな径を有する外筒４内に収容されている。
【００１６】
図１（ｃ）に示すように、外筒４内では、スパークロッド１とフレームロッド３とが上段に設置され、下段にガス供給管２が設置されている。ガス供給管２は、スパークロッド１とフレームロッド３の間に位置するように設置されている。
【００１７】
図１（ａ）に示すように、スパークロッド１には、長手方向に延びる収容管１２に、点火ロッド１３が収容されている。点火ロッド１３の先端には、継手１４および碍子１５を介して点火電極１６が接続されている。点火電極１６の外周には、先端が開口した円筒状のアース電極１７が設置されており、アース電極１７の開口部から点火電極１６が先端側へ突出するように配されている。スパークロッド１では、点火電極１６とアース電極１７との間に電圧が印加されると、点火スパークを発生するように構成されている。
【００１８】
点火ロッド１３が収容された収容管１２には、基端部側の第１空気供給管１８から冷却用の空気が供給されている。第１空気供給管１８から供給された空気は、点火ロッド１３の外周を基端部から先端部に流れ、点火電極１６とアース電極１７の隙間から、スパークロッド１の収容管１２の外に排出される。排出された空気は、外筒４の先端部の火炎領域まで流れて、燃焼用の空気になる。
【００１９】
なお、点火電極１６は、火炎領域に対して退避する方向に移動可能に構成されている。
【００２０】
ガス供給管２には、基端部側から、燃料ガスが供給されると共に空気が供給されている。ガス供給管２では、燃料ガスと空気がミキシングされ、先端から噴出される。ガス供給管２の先端にはガスノズル２２が設けられている。ガスノズル２２のノズル孔は、上段に向って傾斜するように構成されている。
【００２１】
フレームロッド３は、長手方向に延びる収容管３１に、検出ロッド３３が収容されている。点火ロッド３３の先端には、碍子３４を介して検出電極３５が接続されている。
【００２２】
検出電極３５は、スパークロッド１の点火電極１６よりも外筒４の先端部側に突出するように配されており、パイロットバーナで発生した火炎に接触するように配されている。検出電極３５は、図示しない第１電極および第２電極とを有しており、電圧が印加された第１電極と第２電極との間に火炎を介して流れる電流を検知することで、パイロットバーナに発生するパイロット火炎の有無を検知することができる。なお、検出電極３５は、火炎領域に対して退避する方向に移動可能に構成されている。
【００２３】
収容管３１には、基端部側の第２空気供給管３６（図１（ａ））から空気が供給されている。第２空気供給管３６から供給された空気は、検出ロッド３３の外周を基端部から先端部に流れ、検出電極３５の外周から、収容管３１の外に排出される。排出された空気は、外筒４の先端部の火炎領域まで流れて、燃焼用の空気になる。
【００２４】
次に、このように構成されたパイロットバーナの作用および効果について説明する。本発明では、スパークロッド１の収容管１２に、第１空気供給管１８から空気を供給すると共に、フレームロッド３の収容管３１に、第２空気供給管３６から空気を供給している。これにより、スパークロッド１およびフレームロッド３を冷却し、熱損を低減することで、スパークロッド１およびフレームロッド３の耐久性をともに向上させることができる。
【００２５】
ここで、パイロットバーナに供給される燃料ガスとしてコークスガスが用いられる場合には、従来では、コークスガスの性状の変化により燃料ガス中のダスト分が増えると、スパークロッド１の先端にダストが付着してスパーク不良が生じたり、フレームロッド３の先端にダストが付着してパイロット火炎の検知不良が生じていたが、本発明では、スパークロッド１およびフレームロッド３の先端より、冷却用の空気を噴出することで、ロッド先端に堆積したダストを吹き飛ばして排除することができ、スパーク不良やパイロット火炎の検知不良を低減させることができる。
【００２６】
また、点火電極１６や検出電極３５をパイロット火炎から退避させるように構成し、メンテナンス時に点火電極１６や検出電極３５をパイロット火炎から退避させることで、メンテナンス性を向上させることができる。
【００２７】
なお、本発明は、メインバーナの燃焼の有無に関わらず常時パイロットバーナを燃焼させる連続パイロット式の燃焼設備に適用することが好ましい。常時パイロットバーナを燃焼させて第１空気供給管１８および第２空気供給管３６から空気をパイロットバーナ先端からボイラ等の燃焼室内に供給することで、燃焼室内の圧力変動等によって発生する燃焼室からパイロットバーナへの逆火を低減させ、スパークロッド１およびフレームロッド３の耐久性をさらに向上させ、超寿命化を達成することができる。
【符号の説明】
【００２８】
１    スパークロッド
１２    収容管
１３    点火ロッド
１４    継手
１５    碍子
１６    点火電極
１７    アース電極
１８    第１空気供給管
２    ガス供給管
２２    ガスノズル
３    フレームロッド
３１    収容管
３３    検出ロッド
３４    碍子
３５    検出電極
３６    第２空気供給管
４    外筒
【図１】
2017020765.tif 000003